(57)【要約】【課題】レジスト材料の基板からの液だれを抑制し、かつ、タクトタイムを短縮化する。【解決手段】実施形態の紫外線照射装置は、基板に紫外線を照射可能な紫外線ＬＥＤ素子を含む照射部と、前記基板と前記照射部とを相対的に移動可能な移動部と、前記基板と前記照射部との相対位置を検知可能な検知部と、前記検知部の検知結果に基づいて、前記基板の外周部に前記紫外線が照射されるように前記照射部を制御する制御部と、を含む。【選択図】図２
2019076817.tif 000002
【特許請求の範囲】
【請求項１】
基板に紫外線を照射可能な紫外線ＬＥＤ素子を含む照射部と、
前記基板と前記照射部とを相対的に移動可能な移動部と、
前記基板と前記照射部との相対位置を検知可能な検知部と、
前記検知部の検知結果に基づいて、前記基板の外周部に前記紫外線が照射されるように前記照射部を制御する制御部と、を含む
紫外線照射装置。
【請求項２】
前記移動部は、前記基板を搬送可能である
請求項１に記載の紫外線照射装置。
【請求項３】
前記照射部は、前記基板と前記照射部との相対移動方向に沿って並べられるとともに、前記相対移動方向に直交する方向に沿って並べられた複数の前記紫外線ＬＥＤ素子を含む
請求項１または２に記載の紫外線照射装置。
【請求項４】
前記照射部の照射領域は、前記基板と前記照射部との相対移動方向に直交する方向における前記移動部の長さよりも大きい
請求項１から３の何れか一項に記載の紫外線照射装置。
【請求項５】
前記照射部は、前記基板と前記照射部との相対移動方向に隣接する第一照射ユニットおよび第二照射ユニットを含む
請求項１から４の何れか一項に記載の紫外線照射装置。
【請求項６】
前記照射部の照射領域は、前記基板と前記照射部との相対移動方向に直交する方向に延在するＩ字状をなしている
請求項１から５の何れか一項に記載の紫外線照射装置。
【請求項７】
前記移動部は、前記基板と前記照射部との相対移動方向に隙間をあけて配列された複数のローラを含み、
前記検知部は、隣り合う２つの前記ローラの間の前記隙間に配置されている
請求項１から６の何れか一項に記載の紫外線照射装置。
【請求項８】
前記検知部は、前記基板と前記照射部との相対移動方向に間隔をあけて配置された第一センサおよび第二センサを含む
請求項１から７の何れか一項に記載の紫外線照射装置。
【請求項９】
前記制御部は、
前記基板と前記照射部との相対移動方向における前記基板の先端部が前記照射部の照射領域に重なる場合、前記照射部を全体的に点灯させる基板先端照射制御と、
前記基板先端照射制御の後、前記基板の先端部が前記照射領域から外れ、前記相対移動方向に直交する方向における前記基板の両端部が前記照射領域に重なる場合、前記照射部のうち前記基板の両端部から外れる部分を消灯させ、前記照射部のうち前記基板の両端部と重なる部分を点灯させる基板両端照射制御と、
前記基板両端照射制御の後、前記相対移動方向における前記基板の後端部が前記照射領域に重なる場合、前記照射部を全体的に点灯させる基板後端照射制御と、
前記基板後端照射制御の後、前記基板の後端部が前記照射領域から外れた場合、前記照射部を全体的に消灯させる消灯制御と、を行う
請求項１から８の何れか一項に記載の紫外線照射装置。
【請求項１０】
前記照射部からの紫外線の積算光量を測定可能な積算光量測定部を更に含み、
前記制御部は、前記積算光量測定部の測定結果に基づいて、前記照射部および前記移動部の少なくとも一方を制御する
請求項１から９の何れか一項に記載の紫外線照射装置。
【請求項１１】
前記基板の表面の高さを検知可能な表面高さ検知部を更に含み、
前記制御部は、前記表面高さ検知部の検知結果に基づいて、前記照射部および前記移動部の少なくとも一方を制御する
請求項１から１０の何れか一項に記載の紫外線照射装置。
【請求項１２】
基板に紫外線を照射可能な紫外線ＬＥＤ素子を含む照射部と、
前記基板と前記照射部とを相対的に移動可能な移動部と、
前記基板と前記照射部との相対位置を検知可能な検知部と、を用いた紫外線照射方法であって、
前記基板に紫外線を照射する照射工程と、
前記基板と前記照射部とを相対的に移動させる移動工程と、
前記基板と前記照射部との相対位置を検知する検知工程と、
前記検知部の検知結果に基づいて、前記基板の外周部に前記紫外線が照射されるように前記照射部を制御する制御工程と、を含む
紫外線照射方法。
【請求項１３】
前記移動工程では、前記基板を搬送する
請求項１２に記載の紫外線照射方法。
【請求項１４】
前記制御工程は、
前記基板と前記照射部との相対移動方向における前記基板の先端部が前記照射部の照射領域に重なる場合、前記照射部を全体的に点灯させる基板先端照射制御工程と、
前記基板先端照射制御工程の後、前記基板の先端部が前記照射領域から外れ、前記相対移動方向に直交する方向における前記基板の両端部が前記照射領域に重なる場合、前記照射部のうち前記基板の両端部から外れる部分を消灯させ、前記照射部のうち前記基板の両端部と重なる部分を点灯させる基板両端照射制御工程と、
前記基板両端照射制御工程の後、前記相対移動方向における前記基板の後端部が前記照射領域に重なる場合、前記照射部を全体的に点灯させる基板後端照射制御工程と、
前記基板後端照射制御工程の後、前記基板の後端部が前記照射領域から外れた場合、前記照射部を全体的に消灯させる消灯制御工程と、を含む
請求項１２または１３に記載の紫外線照射方法。
【請求項１５】
前記照射部からの紫外線の積算光量を測定する積算光量測定工程を更に含み、
前記制御工程では、前記積算光量の測定結果に基づいて、前記照射部および前記移動部の少なくとも一方を制御する
請求項１２から１４の何れか一項に記載の紫外線照射方法。
【請求項１６】
前記基板の表面の高さを検知する表面高さ検知工程を更に含み、
前記制御工程では、前記基板の表面の高さの検知結果に基づいて、前記照射部および前記移動部の少なくとも一方を制御する
請求項１２から１５の何れか一項に記載の紫外線照射方法。
【発明の詳細な説明】
【技術分野】
【０００１】
本発明は、紫外線照射装置および紫外線照射方法に関する。
【背景技術】
【０００２】
液晶ディスプレイ等の表示パネルを構成するガラス基板上には、配線パターン及び電極パターン等の微細なパターンが形成されている。例えばこのようなパターンは、フォトリソグラフィ法等の方法によって形成される。フォトリソグラフィ法は、レジスト材料を基板に塗布する工程、塗布後にレジスト材料で形成された膜（以下「レジスト膜」という。）を露光する工程、および露光後にレジスト膜を現像する工程を含む。例えば、特許文献１から４には、基板上のレジスト膜の外周部に対し露光処理を行う技術が開示されている。例えば、露光処理には、基板の外周部を走査する露光装置が用いられる。
例えば、基板としては、Ｇ８サイズ以上の大型のガラス基板が用いられる。ここで、Ｇ８サイズとは、２１６０ｍｍ×２４６０ｍｍの基板サイズを意味する。
【先行技術文献】
【特許文献】
【０００３】
【特許文献１】特開２０１７−９２３０６号公報
【特許文献２】特開２００８−６４８６０号公報
【特許文献３】特開２００５−９３９５１号公報
【特許文献４】特開２００６−２７８３８９号公報
【発明の概要】
【発明が解決しようとする課題】
【０００４】
ところで、基板にレジスト材料を塗布した場合、レジスト膜が十分に乾燥していない状態で基板を搬送または待機させてしまうと、レジスト材料が基板端部から液だれしたり、基板端部より背面に回り込んだりしてしまうことがある。特に、大型のガラス基板を用いたり、塗布直後に基板を移動させたりする場合、この現象が発生する可能性が高くなる。
加えて、基板の外周部を走査する露光装置の場合、基板が大型になるほど露光に時間がかかる。
【０００５】
以上のような事情に鑑み、本発明は、レジスト材料の基板からの液だれを抑制し、かつ、タクトタイムを短縮化することが可能な紫外線照射装置および紫外線照射方法を提供することを目的とする。
【課題を解決するための手段】
【０００６】
本発明の一態様に係る紫外線照射装置は、基板に紫外線を照射可能な紫外線ＬＥＤ素子を含む照射部と、前記基板と前記照射部とを相対的に移動可能な移動部と、前記基板と前記照射部との相対位置を検知可能な検知部と、前記検知部の検知結果に基づいて、前記基板の外周部に前記紫外線が照射されるように前記照射部を制御する制御部と、を含むことを特徴とする。
【０００７】
この構成によれば、基板の外周部に紫外線が照射されるため、基板に塗布されたレジスト材料の外周部を紫外線で硬化させることができる。加えて、基板と照射部とを相対的に移動させつつ基板の外周部に紫外線を照射することができる。したがって、レジスト材料の基板からの液だれを抑制し、かつ、タクトタイムを短縮化することができる。
加えて、基板に塗布されたレジスト材料の外周部を紫外線で硬化させることによって、大型の基板を用いたり、塗布後に基板を移動させたりする場合であっても、レジスト材料の基板からの液だれを抑制することができる。
加えて、基板の外周部のみ追加で露光することにより、外周部のレジスト残渣の除去等を行う用途（通常の周辺露光の用途）にも使用することができる。加えて、大型基板を移動中に露光できることにより、タクトタイムの短縮を図ることができる。
ところで、基板に紫外線を照射する場合、メタルハライドランプ又は水銀ランプを用いることが考えられる。しかしながら、メタルハライドランプ又は水銀ランプの場合、点灯後ランプが安定するまで数十分程度かかり、ランプの寿命も短いため、点灯および消灯を連続的に行うことができない可能性がある。
一方、メタルハライドランプ又は水銀ランプを用いて基板の外周部への紫外線照射を行う場合、ランプの点灯状態を維持することが考えられる。しかしながら、ランプの点灯状態を維持することは、寿命を確保する上で好ましくない。
これに対し、この構成によれば、紫外線ＬＥＤ素子を含むことで、メタルハライドランプ又は水銀ランプを用いた場合と比較して、点灯後すぐに安定させ、かつ、寿命を長くすることができるため、点灯および消灯を瞬時に連続して行うことができる。加えて、検知部の検知結果に基づいて照射部を制御することで、基板と照射部との相対位置を加味して紫外線ＬＥＤ素子の点灯および消灯を制御することができる。したがって、基板の外周部への紫外線照射を省エネルギーで効率的に行うことができる。
【０００８】
上記の紫外線照射装置において、前記移動部は、前記基板を搬送可能であってもよい。
この構成によれば、照射部が定位置にある状態で基板を搬送することができるため、照射部を移動させるための余分な駆動システムを必要とせず、基板と照射部との相対移動をシンプルに行うことができる。
【０００９】
上記の紫外線照射装置において、前記照射部は、前記基板と前記照射部との相対移動方向に沿って並べられるとともに、前記相対移動方向に直交する方向に沿って並べられた複数の前記紫外線ＬＥＤ素子を含んでいてもよい。
この構成によれば、相対移動方向および相対移動方向に直交する方向に沿って並べられた複数の紫外線ＬＥＤ素子の点灯および消灯を選択的に制御することができる。したがって、複数の紫外線ＬＥＤ素子の点灯状態を維持する場合と比較して、基板の外周部への紫外線照射を省エネルギーで効率的に行うことができる。例えば、基板と照射部との相対移動を１回だけ行う（１回だけ照射部の下方に基板を通過させる）ことで、基板のすべての端部を１回で露光することができるため、効率的である。
【００１０】
上記の紫外線照射装置において、前記照射部の照射領域は、前記基板と前記照射部との相対移動方向に直交する方向における前記移動部の長さよりも大きくてもよい。
ところで、照射部の照射領域が基板と照射部との相対移動方向に直交する方向における移動部の長さよりも小さいと、基板の外周部への紫外線照射を行う際に基板と照射部との相対移動を複数回行う必要がある。これに対し、この構成によれば、照射部の照射領域が基板と前記照射部との相対移動方向に直交する方向における移動部の長さよりも大きいことで、基板の外周部への紫外線照射を行う際に基板と照射部との相対移動を１回行えば足りる。したがって、基板の外周部への紫外線照射を更に省エネルギーで効率的に行うことができる。
【００１１】
上記の紫外線照射装置において、前記照射部は、前記基板と前記照射部との相対移動方向に隣接する第一照射ユニットおよび第二照射ユニットを含んでいてもよい。
この構成によれば、第一照射ユニットおよび第二照射ユニットごとに紫外線ＬＥＤ素子の点灯および消灯を制御することができる。したがって、照射部全体として紫外線ＬＥＤ素子の点灯および消灯を制御する場合と比較して、基板の外周部への紫外線照射を省エネルギーで効率的に行うことができる。
【００１２】
上記の紫外線照射装置において、前記照射部の照射領域は、前記基板と前記照射部との相対移動方向に直交する方向に延在するＩ字状をなしていてもよい。
ところで、照射部の照射領域が基板と照射部との相対移動方向に直交する方向に延在する直線部のみ有する場合、基板と照射部との相対移動方向に直交する方向における端部において、紫外線ＬＥＤ素子の設置領域を十分に確保することができない可能性がある。
この構成によれば、照射部の照射領域が基板と照射部との相対移動方向に直交する方向に延在するＩ字状をなしていることで、基板と照射部との相対移動方向に直交する方向における両端部において、基板と照射部との相対移動方向に紫外線ＬＥＤ素子の設置領域を確保することができる。したがって、照射部の照射領域が基板と照射部との相対移動方向に直交する方向に延在する直線部のみ有する場合と比較して、基板の外周部への紫外線照射を省エネルギーで効率的に行うことができる。
【００１３】
上記の紫外線照射装置において、前記移動部は、前記基板と前記照射部との相対移動方向に隙間をあけて配列された複数のローラを含み、前記検知部は、隣り合う２つの前記ローラの間の前記隙間に配置されていてもよい。
この構成によれば、基板と照射部との相対移動方向に直交する方向において検知部がローラの外方に配置される場合と比較して、紫外線照射装置の小型化を図ることができる。
【００１４】
上記の紫外線照射装置において、前記検知部は、前記基板と前記照射部との相対移動方向に間隔をあけて配置された第一センサおよび第二センサを含んでいてもよい。
この構成によれば、第一センサおよび第二センサの検知結果に基づいて、基板と照射部との相対移動方向における相対移動速度を求めることができる。
【００１５】
上記の紫外線照射装置において、前記制御部は、前記基板と前記照射部との相対移動方向における前記基板の先端部が前記照射部の照射領域に重なる場合、前記照射部を全体的に点灯させる基板先端照射制御と、前記基板先端照射制御の後、前記基板の先端部が前記照射領域から外れ、前記相対移動方向に直交する方向における前記基板の両端部が前記照射領域に重なる場合、前記照射部のうち前記基板の両端部から外れる部分を消灯させ、前記照射部のうち前記基板の両端部と重なる部分を点灯させる基板両端照射制御と、前記基板両端照射制御の後、前記相対移動方向における前記基板の後端部が前記照射領域に重なる場合、前記照射部を全体的に点灯させる基板後端照射制御と、前記基板後端照射制御の後、前記基板の後端部が前記照射領域から外れた場合、前記照射部を全体的に消灯させる消灯制御と、を行ってもよい。
この構成によれば、基板先端照射制御、基板両端照射制御、基板後端照射制御および消灯制御のそれぞれごとに、基板と照射部との相対位置を加味して照射部の点灯および消灯を制御することができる。したがって、基板の照射制御を一括して行う場合と比較して、基板の外周部への紫外線照射を省エネルギーで効率的に行うことができる。
【００１６】
上記の紫外線照射装置において、前記照射部からの紫外線の積算光量を測定可能な積算光量測定部を更に含み、前記制御部は、前記積算光量測定部の測定結果に基づいて、前記照射部および前記移動部の少なくとも一方を制御してもよい。
この構成によれば、照射部からの紫外線の積算光量を加味して紫外線ＬＥＤ素子の点灯および消灯を制御したり、基板と照射部との相対移動を制御したりすることができる。したがって、基板の外周部への紫外線照射を省エネルギーで効率的に行うことができる。
【００１７】
上記の紫外線照射装置において、前記基板の表面の高さを検知可能な表面高さ検知部を更に含み、前記制御部は、前記表面高さ検知部の検知結果に基づいて、前記照射部および前記移動部の少なくとも一方を制御してもよい。
この構成によれば、基板の表面の高さを加味して紫外線ＬＥＤ素子の点灯および消灯を制御したり、基板と照射部との相対移動を制御したりすることができる。したがって、基板の外周部への紫外線照射を省エネルギーで効率的に行うことができる。
【００１８】
本発明の一態様に係る紫外線照射方法は、基板に紫外線を照射可能な紫外線ＬＥＤ素子を含む照射部と、前記基板と前記照射部とを相対的に移動可能な移動部と、前記基板と前記照射部との相対位置を検知可能な検知部と、を用いた紫外線照射方法であって、前記基板に紫外線を照射する照射工程と、前記基板と前記照射部とを相対的に移動させる移動工程と、前記基板と前記照射部との相対位置を検知する検知工程と、前記検知部の検知結果に基づいて、前記基板の外周部に前記紫外線が照射されるように前記照射部を制御する制御工程と、を含むことを特徴とする。
【００１９】
この方法によれば、基板の外周部に紫外線が照射されるため、基板に塗布されたレジスト材料の外周部を紫外線で硬化させることができる。加えて、基板と照射部とを相対的に移動させつつ基板の外周部に紫外線を照射することができる。したがって、レジスト材料の基板からの液だれを抑制し、かつ、タクトタイムを短縮化することができる。
加えて、基板に塗布されたレジスト材料の外周部を紫外線で硬化させることによって、大型の基板を用いたり、塗布後に基板を移動させたりする場合であっても、レジスト材料の基板からの液だれを抑制することができる。
加えて、基板の外周部のみ追加で露光することにより、外周部のレジスト残渣の除去等を行う用途（通常の周辺露光の用途）にも使用することができる。加えて、大型基板を移動中に露光できることにより、タクトタイムの短縮を図ることができる。
加えて、紫外線ＬＥＤ素子を含むことで、メタルハライドランプ又は水銀ランプを用いた場合と比較して、点灯後すぐに安定させ、かつ、寿命を長くすることができるため、点灯および消灯を瞬時に連続して行うことができる。加えて、検知部の検知結果に基づいて照射部を制御することで、基板と照射部との相対位置を加味して紫外線ＬＥＤ素子の点灯および消灯を制御することができる。したがって、基板の外周部への紫外線照射を省エネルギーで効率的に行うことができる。
【００２０】
上記の紫外線照射方法において、前記移動工程では、前記基板を搬送してもよい。
この方法によれば、照射部が定位置にある状態で基板を搬送することができるため、照射部を移動させるための余分な工程を必要とせず、基板と照射部との相対移動をシンプルに行うことができる。
【００２１】
上記の紫外線照射方法において、前記制御工程は、前記基板と前記照射部との相対移動方向における前記基板の先端部が前記照射部の照射領域に重なる場合、前記照射部を全体的に点灯させる基板先端照射制御工程と、前記基板先端照射制御工程の後、前記基板の先端部が前記照射領域から外れ、前記相対移動方向に直交する方向における前記基板の両端部が前記照射領域に重なる場合、前記照射部のうち前記基板の両端部から外れる部分を消灯させ、前記照射部のうち前記基板の両端部と重なる部分を点灯させる基板両端照射制御工程と、前記基板両端照射制御工程の後、前記相対移動方向における前記基板の後端部が前記照射領域に重なる場合、前記照射部を全体的に点灯させる基板後端照射制御工程と、前記基板後端照射制御工程の後、前記基板の後端部が前記照射領域から外れた場合、前記照射部を全体的に消灯させる消灯制御工程と、を含んでいてもよい。
この方法によれば、基板先端照射制御工程、基板両端照射制御工程、基板後端照射制御工程および消灯制御工程のそれぞれごとに、基板と照射部との相対位置を加味して照射部の点灯および消灯を制御することができる。したがって、基板の照射制御を一括して行う場合と比較して、基板の外周部への紫外線照射を省エネルギーで効率的に行うことができる。
【００２２】
上記の紫外線照射方法において、前記照射部からの紫外線の積算光量を測定する積算光量測定工程を更に含み、前記制御工程では、前記積算光量の測定結果に基づいて、前記照射部および前記移動部の少なくとも一方を制御してもよい。
この方法によれば、照射部からの紫外線の積算光量を加味して紫外線ＬＥＤ素子の点灯および消灯を制御したり、基板と照射部との相対移動を制御したりすることができる。したがって、基板の外周部への紫外線照射を省エネルギーで効率的に行うことができる。
【００２３】
上記の紫外線照射方法において、前記基板の表面の高さを検知する表面高さ検知工程を更に含み、前記制御工程では、前記基板の表面の高さの検知結果に基づいて、前記照射部および前記移動部の少なくとも一方を制御してもよい。
この方法によれば、基板の表面の高さを加味して紫外線ＬＥＤ素子の点灯および消灯を制御したり、基板と照射部との相対移動を制御したりすることができる。したがって、基板の外周部への紫外線照射を省エネルギーで効率的に行うことができる。
【発明の効果】
【００２４】
本発明によれば、レジスト材料の基板からの液だれを抑制し、かつ、タクトタイムを短縮化することが可能な紫外線照射装置および紫外線照射方法を提供することができる。
【図面の簡単な説明】
【００２５】
【図１】実施形態に係るパターン形成装置の上面図。
【図２】実施形態に係る紫外線照射装置の上面図。
【図３】実施形態に係る紫外線照射装置の側面図。
【図４】実施形態に係る紫外線照射装置の正面図。
【図５】実施形態に係る照射部の下面図。
【図６】実施形態に係る照射ユニットの下面図。
【図７】実施形態に係る紫外線照射装置の動作説明図。図７（Ａ）は、基板先端照射制御の動作説明図。図７（Ｂ）は、基板両端照射制御の動作説明図。図７（Ｃ）は、基板後端照射制御の動作説明図。図７（Ｄ）は、消灯制御の動作説明図。
【発明を実施するための形態】
【００２６】
以下、図面を参照して、本発明の実施形態を説明する。以下の説明においては、ＸＹＺ直交座標系を設定し、このＸＹＺ直交座標系を参照しつつ各部材の位置関係について説明する。水平面内の所定方向をＸ方向、水平面内においてＸ方向と直交する方向をＹ方向、Ｘ方向及びＹ方向のそれぞれと直交する方向（すなわち鉛直方向）をＺ方向とする。
【００２７】
＜パターン形成装置＞
図１は本実施形態に係るパターン形成装置１を示す上面図である。
図1に示すように、パターン形成装置１は、カセット搬出入部２、塗布現像処理部３及びシステム制御部４を備えている。システム制御部４は、パターン形成装置１の構成要素を統括的に制御する。
【００２８】
＜カセット搬出入部＞
カセット搬出入部２は、カセット５の搬入及び搬出を行う。例えば、カセット５には、複数の基板６が収容されている。例えば、基板６としては、Ｇ８サイズを有する矩形状のガラス基板が用いられる。カセット搬出入部２は、カセット待機部７及び基板搬送機構８を備えている。
【００２９】
カセット待機部７は、パターン形成装置１の第一端部（−Ｘ方向側の端部）に配置されている。カセット待機部７には、複数のカセット５がＹ方向に配列されている。例えば、カセット待機部７には、パターン形成装置１の外部との間でカセット５の受け渡しを行うための開口部（不図示）が設けられている。
【００３０】
基板搬送機構８は、カセット待機部７の＋Ｘ方向側に隣接している。基板搬送機構８は、カセット５と塗布現像処理部３との間で基板６の搬送を行う。基板搬送機構８は、Ｙ方向に間隔をあけて２つ配置されている。
【００３１】
以下、−Ｙ方向側に配置される基板搬送機構８ａを「第一搬送機構８ａ」、＋Ｙ方向側に配置される基板搬送機構８ｂを「第二搬送機構８ｂ」ともいう。
第一搬送機構８ａは、カセット搬出入部２から塗布現像処理部３へ基板６を搬送する。
第二搬送機構８ｂは、塗布現像処理部３からカセット搬出入部２へ基板６を搬送する。
【００３２】
基板搬送機構８は、一方向に伸縮可能な搬送アーム９を備えている。例えば、搬送アーム９には、基板６を保持可能な保持部が設けられている。
搬送アーム９は、Ｚ軸回りの回転方向に移動可能である。これにより、カセット待機部７の方向または塗布現像処理部３の方向に搬送アーム９を向かせることができる。搬送アーム９は、伸縮動作によってカセット待機部７または塗布現像処理部３にアクセス可能とされている。
【００３３】
＜塗布現像処理部＞
塗布現像処理部３は、基板６にレジスト塗布及び現像を含む一連の処理を施す。塗布現像処理部３は、洗浄ユニット１０、塗布ユニット１１、第一光照射ユニット１２、プリベークユニット１３、露光装置１４、現像ユニット１５、第二光照射ユニット１６及びポストベークユニット１７を備えている。
【００３４】
塗布現像処理部３は、Ｙ方向に分割された構成を有する。塗布現像処理部３において−Ｙ側の部分では、カセット搬出入部２（第一搬送機構８ａ）からの基板６が露光装置１４へ向けて＋Ｘ方向に搬送される。塗布現像処理部３において＋Ｙ側の部分では、露光装置１４からの基板６がカセット搬出入部２（第二搬送機構８ｂ）へ向けて−Ｘ方向に搬送される。以下、基板６の搬送方向において、第一搬送機構８ａの側を「上流側」、第二搬送機構８ｂの側を「下流側」ともいう。
【００３５】
洗浄ユニット１０は、第一搬送機構８ａの下流側（＋Ｘ方向側）に配置されている。洗浄ユニット１０は、基板６の洗浄を行う。
【００３６】
塗布ユニット１１は、洗浄ユニット１０の下流側（＋Ｘ方向側）に配置されている。塗布ユニット１１は、基板６にレジスト膜を形成する。塗布ユニット１１は、基板６にレジスト材料を塗布する塗布装置１１ａを備える。
【００３７】
例えば、塗布装置１１ａとしては、回転式塗布装置、ノンスピン式塗布装置、スリットノズル塗布装置などが用いられる。例えば、塗布装置１１ａは、回転式塗布装置、ノンスピン式塗布装置およびスリットノズル塗布装置が交換可能に構成されていてもよい。
【００３８】
第一光照射ユニット１２は、塗布ユニット１１の下流側（＋Ｘ方向側）に配置されている。第一光照射ユニット１２は、基板６に光を照射する。第一光照射ユニット１２は、基板６に塗布されているレジスト材料に光を照射する。第一光照射ユニット１２は、基板６の外周部に光を照射することで、基板６に塗布されているレジスト材料の外周部を硬化させ、レジスト材料が基板外部に液だれすることを抑制する。
【００３９】
プリベークユニット１３は、第一光照射ユニット１２の下流側（＋Ｘ方向側）に配置されている。プリベークユニット１３は、基板６にプリベーク処理を行う。プリベークユニット１３は、基板６を加熱可能な加熱装置１３ａと、基板６を冷却可能な冷却装置１３ｂと、を備えている。
【００４０】
露光装置１４の−Ｙ方向側の部分は、プリベークユニット１３の下流側（＋Ｘ方向側）に配置されている。露光装置１４は、基板６に形成されたレジスト膜を露光する。
【００４１】
現像ユニット１５は、露光装置１４の＋Ｙ方向側の部分の下流側（−Ｘ方向側）に配置されている。現像ユニット１５は、露光後の基板６の現像処理を行うための現像装置１５ａを備えている。現像装置１５ａは、現像処理によって、基板６に所定の形状にパターニングされたレジスト膜（プレパターン）を形成する。
【００４２】
第二光照射ユニット１６は、現像ユニット１５の下流側（−Ｘ方向側）に配置されている。第二光照射ユニット１６は、現像後の基板６に光を照射する。第二光照射ユニット１６は、基板６に形成されているプレパターンに光を照射する。第二光照射ユニット１６は、プレパターンの可視光透過性を向上させるブリーチング処理と、プレパターンを硬化させることで耐熱性を向上させる硬化処理とを行う。
【００４３】
ポストベークユニット１７は、第二光照射ユニット１６の下流側（−Ｘ方向側）に配置されている。ポストベークユニット１７は、光処理後の基板６を加熱（ベーク）する。
【００４４】
＜第一光照射ユニット＞
第一光照射ユニット１２は、紫外線照射装置１８と、基板搬送機構１９と、を備えている。
基板搬送機構１９は、紫外線照射装置１８と塗布ユニット１１との間、および紫外線照射装置１８とプリベークユニット１３との間で基板６の受け渡しを行う。例えば、第一光照射ユニット１２における基板搬送機構１９は、カセット搬出入部２における基板搬送機構８と同一の構成を有する。
【００４５】
＜紫外線照射装置＞
図２は、紫外線照射装置１８の上面図である。図３は、紫外線照射装置１８の側面図である。図４は、紫外線照射装置１８の正面図である。
図２に示すように、紫外線照射装置１８は、照射部２０、門型フレーム２５、搬送機構３０（移動部）、相対位置検知部４０（検知部）、積算光量測定部４１、表面高さ検知部４２および制御部４５を備えている。
【００４６】
＜搬送機構＞
搬送機構３０は、基板６を搬送可能である。搬送機構３０は、照射部２０が定位置にある状態で基板６を搬送することによって、基板６と照射部２０とを相対的に移動させる。以下、水平面内における基板６の搬送方向（基板６と照射部２０との相対移動方向）を「第一方向Ｖ１」、水平面内において第一方向Ｖ１に直交する方向を「第二方向Ｖ２」ともいう。
【００４７】
搬送機構３０は、基板６を第一方向Ｖ１に移動可能である。搬送機構３０は、複数のローラ３１と、支持機構３２と、を備える。搬送機構３０は、複数のローラ３１が隙間３１ｈをあけて配置されたローラコンベアである。搬送機構３０は、複数のローラ３１に基板６を載せて搬送する。
【００４８】
複数のローラ３１は、第一方向Ｖ１に隙間３１ｈをあけて配列されている。ローラ３１は、第二方向Ｖ２に延在する円柱状をなす。複数のローラ３１は、駆動ローラ３１ａおよび従動ローラ３１ｂである。例えば、駆動ローラ３１ａは、１つのみ設けられる。例えば、従動ローラ３１ｂは、複数設けられる。駆動ローラ３１ａは、モータ３４の駆動によって回転する。従動ローラ３１ｂは、駆動ローラ３１ａの回転に従動して回転する。
【００４９】
支持機構３２は、ローラ３１を回転可能に支持する。支持機構３２は、一対の支持壁３３と、モータ３４と、動力伝達機構（不図示）と、を備える。
【００５０】
一対の支持壁３３は、第一方向Ｖ１に延在している。一対の支持壁３３は、第二方向Ｖ２に間隔をあけて配置されている。一対の支持壁３３は、ローラ３１の両端部を回転可能に支持する。一対の支持壁３３は、第１支持壁３３ａおよび第２支持壁３３ｂである。すなわち、ローラコンベアは、両持ち構造とされている。
【００５１】
モータ３４は、駆動ローラ３１ａを回転可能である。例えば、モータ３４は、第１支持壁３３ａに内蔵されている。
動力伝達機構（不図示）は、駆動ローラ３１ａの回転動力を複数の従動ローラ３１ｂに伝達する。例えば、動力伝達機構は、第１支持壁３３ａに内蔵されている。
【００５２】
＜照射部＞
図５は、照射部２０の下面図である。
図５に示すように、照射部２０は、複数の照射ユニット２１を備えている。照射部２０は、第一方向Ｖ１に隣接する第一照射ユニット２１ａおよび第二照射ユニット２１ｂを備えている。以下、第一照射ユニット２１ａおよび第二照射ユニット２１ｂのそれぞれを、単に「照射ユニット２１」ともいう。
複数の照射ユニット２１は、第一方向Ｖ１および第二方向Ｖ２のそれぞれに沿って並べられている。実施形態において、照射ユニット２１は、基板６にｉ線等の紫外線を照射可能な複数の紫外線ＬＥＤ素子２２（図６参照）を備える。
ここで、「紫外線」とは、波長範囲の下限が１ｎｍ程度、上限が可視光線の短波長端の光を意味する。実施形態において、紫外線ＬＥＤ素子２２の波長帯を３６５ｎｍ程度に設定する。
【００５３】
図６は、照射ユニット２１の下面図である。
図６に示すように、照射ユニット２１は、格子状に配置された複数の紫外線ＬＥＤ素子２２を備えている。複数の紫外線ＬＥＤ素子２２は、矩形状の支持台２３に載置されている。
【００５４】
複数の紫外線ＬＥＤ素子２２は、第一方向Ｖ１および第二方向Ｖ２のそれぞれに沿って並べられている。実施形態において、１つの照射ユニット２１は、６行６列に配置された３６個の紫外線ＬＥＤ素子２２を備えている。３６個の紫外線ＬＥＤ素子２２は、第一方向Ｖ１および第二方向Ｖ２のそれぞれに互いに等しい間隔をあけて配置されている。
【００５５】
図２に示すように、照射部２０の照射領域２４は、第二方向Ｖ２における搬送機構３０（基板６を搬送する部分）の長さＬ２よりも大きい。
ここで、「照射領域２４」とは、上面視で、第二方向Ｖ２に沿って並べられた複数の紫外線ＬＥＤ素子２２のうち第二方向Ｖ２の両端に位置する紫外線ＬＥＤ素子２２を含む領域である。第二方向Ｖ２における照射領域２４の長さＬ１は、上面視で、第二方向Ｖ２の両端に位置する紫外線ＬＥＤ素子２２の配置間隔に相当する。
第二方向Ｖ２における搬送機構３０の長さＬ２は、ローラ３１の延在方向の長さである。第二方向Ｖ２における搬送機構３０の長さＬ２は、上面視で、第二方向Ｖ２に間隔をあけて配置された一対の支持壁３３の配置間隔に相当する。
実施形態において、第二方向Ｖ２における照射領域２４の長さＬ１は、第二方向Ｖ２における搬送機構３０の長さＬ２よりも長い（Ｌ１＞Ｌ２）。
【００５６】
図５に示すように、照射部２０の照射領域２４は、第二方向Ｖ２に延在するＩ字状をなしている。照射部２０の照射領域２４は、第二方向Ｖ２に直線状に延在する直線部２４ａと、第二方向Ｖ２における直線部２４ａの両端から第一方向Ｖ１両側に突出して第一方向Ｖ１に直線状に延在する直交部２４ｂと、を備えている。
【００５７】
＜門型フレーム＞
図４に示すように、門型フレーム２５は、搬送機構３０を第二方向Ｖ２に跨ぐように門型に形成されている。門型フレーム２５は、照射部２０を支持する。門型フレーム２５は、Ｚ方向に延びる一対の門柱部２５ａと、一対の門柱部２５ａの間を連結するように第二方向Ｖ２に延びる連結梁部２５ｂと、を備えている。
【００５８】
門型フレーム２５における連結梁部２５ｂの内部には、複数の照射ユニット２１を保持する保持部２５ｃが設けられている。保持部２５ｃは、門型フレーム２５における連結梁部２５ｂの下面から上方に窪む凹部を形成する。
【００５９】
照射部２０のうち照射面（下面）を除く部分は、保持部２５ｃの凹部に囲まれ、門型フレーム２５の壁部によって覆われている。例えば、門型フレーム２５は、紫外線を遮光する遮光部材によって形成されている。これにより、照射部２０から紫外線を照射する際に、紫外線が門型フレーム２５の側方に拡散することを回避することができ、紫外線を下方（基板６）に向けて照射することができる。
【００６０】
＜相対位置検知部＞
図２の上面視で、相対位置検知部４０は、隣り合う２つのローラ３１の間の隙間３１ｈに配置されている。図３に示すように、相対位置検知部４０は、ローラ３１の下方に配置されている。相対位置検知部４０は、基板６と照射部２０との相対位置を検知可能である。相対位置検知部４０は、第一方向Ｖ１に間隔をあけて配置された第一センサ４０ａおよび第二センサ４０ｂを備えている。例えば、第一センサ４０ａおよび第二センサ４０ｂは、光電センサ、超音波センサなどの非接触センサを用いてもよい。
【００６１】
第一センサ４０ａおよび第二センサ４０ｂは、隣り合う２つのローラ３１の下方から隙間３１ｈを介して基板６の位置を検知する。
例えば、第一センサ４０ａは、第一方向Ｖ１における基板６の先端（以下単に「基板先端」ともいう。）の位置を検知する。ここで、基板先端は、基板６の搬送方向における下流端に相当する。第一センサ４０ａの検知結果は、基板先端の位置の検知信号として、制御部４５に出力される。
例えば、第二センサ４０ｂは、第一センサ４０ａが基板先端の位置を検知した後、基板先端の位置を検知する。第二センサ４０ｂの検知結果は、基板先端の位置の検知信号として、制御部４５に出力される。
制御部４５は、第一センサ４０ａおよび第二センサ４０ｂの検知結果に基づいて、基板６の搬送速度を算出する。
【００６２】
＜積算光量測定部＞
図３に示すように、積算光量測定部４１は、照射部２０の下方に配置されている。図２の上面視で、積算光量測定部４１は、照射部２０の照射領域２４と重なる位置に配置されている。積算光量測定部４１は、照射部２０からの紫外線の積算光量を測定可能である。
ここで、積算光量は、紫外線硬化樹脂（レジスト材料）を硬化させるのに必要な紫外線量（紫外線の照射量）を意味する。積算光量をＡ、紫外線強度をＢ、硬化時間をＣとしたとき、Ａ＝Ｂ×Ｃの関係を有する。
例えば、積算光量測定部４１としては、紫外線の積算光量を測定する紫外線積算光量計が用いられる。
【００６３】
＜表面高さ検知部＞
図３に示すように、表面高さ検知部４２は、搬送機構３０の上方に配置されている。図２の上面視で、表面高さ検知部４２は、照射部２０の照射領域２４を避けた位置に配置されている。表面高さ検知部４２は、不図示のフレームに取り付けられている。表面高さ検知部４２は、基板６の表面の高さ（以下単に「基板表面高さ」ともいう。）を検知可能である。
ここで、基板表面高さは、基板６の基準面からのＺ方向における変位量に相当する。
【００６４】
例えば、表面高さ検知部４２は、基板６の表面の高さ（基準面からの変位量）を測定するレーザ変位計（不図示）を備えている。例えば、レーザ変位計は、基板６の表面全体にレーザ照射可能に定位置に複数設けられている。なお、レーザ変位計は、基板６の表面全体にレーザ照射可能にモータ等を含む駆動機構によって移動可能とされていてもよい。例えば、駆動機構は、レーザ変位計を支持する架台、および架台をガイドレールに沿って移動させるラックアンドピニオン機構等を含んでいてもよい。表面高さ検知部４２の検知結果は、基板６の表面状態の検知信号として、制御部４５に出力される。なお、表面高さ検知部４２は、超音波センサを含んでいてもよい。
【００６５】
＜制御部＞
制御部４５は、紫外線照射装置１８の構成要素を統括制御する。
制御部４５は、相対位置検知部４０の検知結果に基づいて、基板６の外周部に紫外線が照射されるように照射部２０を制御する。
【００６６】
制御部４５は、積算光量測定部４１の測定結果に基づいて、照射部２０および搬送機構３０を制御する。
例えば、積算光量が光量閾値よりも大きいとき、制御部４５は、以下の（１）および（２）の少なくとも一方の制御を行う。
（１）照射部２０を制御して紫外線強度を基準強度よりも低くする。
（２）搬送機構３０を制御して基板６の搬送速度を基準速度よりも速くする。
例えば、積算光量が光量閾値よりも小さいとき、制御部４５は、以下の（３）および（４）の少なくとも一方の制御を行う。
（３）照射部２０を制御して紫外線強度を基準強度よりも高くする。
（４）搬送機構３０を制御して基板６の搬送速度を基準速度よりも遅くする。
【００６７】
制御部４５は、表面高さ検知部４２の検知結果に基づいて、照射部２０および搬送機構３０を制御する。
例えば、基板表面高さが高さ閾値よりも大きいとき、制御部４５は、前記積算光量が光量閾値よりも小さいときと同様の制御（３）、（４）を行う。
例えば、基板表面高さが高さ閾値よりも小さいとき、制御部４５は、前記積算光量が光量閾値よりも大きいときと同様の制御（１）、（２）を行う。
【００６８】
＜第二光照射ユニット＞
図１に示すように、第二光照射ユニット１６は、紫外線照射装置４８と、基板搬送機構４９と、を備えている。
第二光照射ユニット１６における基板搬送機構４９は、紫外線照射装置４８と現像ユニット１５との間、および紫外線照射装置４８とポストベークユニット１７との間で基板６の受け渡しを行う。例えば、第二光照射ユニット１６における紫外線照射装置４８および基板搬送機構４９は、第一光照射ユニット１２における紫外線照射装置１８および基板搬送機構１９と同一の構成を有する。
【００６９】
＜紫外線照射方法＞
次に、本実施形態に係る紫外線照射方法の一例を説明する。本実施形態では、上記の紫外線照射装置１８を用いて基板６に紫外線を照射する。紫外線照射装置１８の各部で行われる動作は、制御部４５によって制御される。
【００７０】
図７は、実施形態に係る紫外線照射装置１８の動作説明図である。図７（Ａ）は、基板先端照射制御の動作説明図である。図７（Ｂ）は、基板両端照射制御の動作説明図である。図７（Ｃ）は、基板後端照射制御であるの動作説明図。図７（Ｄ）は、消灯制御の動作説明図である。
図７においては、紫外線照射装置１８の構成要素のうち、照射部２０以外の構成要素の図示を省略する。
【００７１】
本実施形態に係る紫外線照射方法は、照射工程、移動工程、検知工程および制御工程を含む。
照射工程では、基板６に紫外線を照射する。
移動工程では、基板６と照射部２０とを相対的に移動させる。移動工程では、基板６を搬送する。移動工程では、照射部２０は定位置にある。
検知工程では、基板６と照射部２０との相対位置を検知する。検知工程では、照射部２０が定位置にある状態で、第一方向Ｖ１における基板６の位置を検知する。
制御工程では、検知部の検知結果に基づいて、基板６の外周部に紫外線が照射されるように照射部２０を制御する。
【００７２】
図７に示すように、制御工程は、基板先端照射制御工程と、基板両端照射制御工程と、基板後端照射制御工程と、消灯制御工程と、を含む。
【００７３】
図７（Ａ）に示すように、基板先端照射制御工程では、第一方向Ｖ１における基板６の先端部（以下単に「基板先端部」ともいう。）が照射部２０の照射領域２４に重なる場合、照射部２０を全体的に点灯させる。ここで、基板先端部は、基板６の搬送方向における下流端部に相当する。
例えば、基板先端照射制御工程では、相対位置検知部４０（図２参照）の検知結果に基づいて、基板先端部が照射部２０の鉛直下方にあると判定した場合、複数の紫外線ＬＥＤ素子２２（図６参照）を全体的に点灯させる。
基板先端照射制御工程の後、基板両端照射制御工程に進む。
【００７４】
図７（Ｂ）に示すように、基板両端照射制御工程では、基板先端部が照射領域２４から外れ、第二方向Ｖ２における基板６の両端部（以下単に「基板両端部」ともいう。）が照射領域２４に重なる場合、照射部２０のうち基板両端部から外れる部分を消灯させ、照射部２０のうち基板両端部と重なる部分を点灯させる。
例えば、基板両端照射制御工程では、相対位置検知部４０（図２参照）の検知結果に基づいて、基板両端部が照射部２０の鉛直下方にあると判定した場合、複数の紫外線ＬＥＤ素子２２（図６参照）のうち第二方向Ｖ２における照射部２０の中央部に位置するものを消灯させ、第二方向Ｖ２における照射部２０の両端部に位置するものを点灯させる。例えば、上面視で直交部２４ｂ（図５参照）と基板両端部とが重なる場合、基板両端照射制御工程では、複数の紫外線ＬＥＤ素子２２（図６参照）のうち直交部２４ｂ（図５参照）に位置するもののみを点灯させる。
基板両端照射制御工程の後、基板後端照射制御工程に進む。
【００７５】
図７（Ｃ）に示すように、基板後端照射制御工程では、第一方向Ｖ１における基板６の後端部（以下単に「基板後端部」ともいう。）が照射領域２４に重なる場合、照射部２０を全体的に点灯させる。ここで、基板後端部は、基板６の搬送方向における上流端部に相当する。
例えば、基板後端照射制御工程では、相対位置検知部４０（図２参照）の検知結果に基づいて、基板後端部が照射部２０の鉛直下方にあると判定した場合、複数の紫外線ＬＥＤ素子２２（図６参照）を全体的に点灯させる。
基板後端照射制御工程の後、消灯制御工程に進む。
【００７６】
図７（Ｄ）に示すように、消灯制御工程では、基板後端部が照射領域２４から外れた場合、照射部２０を全体的に消灯させる。
例えば、消灯制御工程では、相対位置検知部４０（図２参照）の検知結果に基づいて、基板６全体が照射部２０の鉛直下方に無いと判定した場合、複数の紫外線ＬＥＤ素子２２（図６参照）を全体的に消灯させる。
【００７７】
以上の工程を経ることにより、基板６に塗布されたレジスト材料の外周部を選択的に硬化させることができる。
【００７８】
実施形態の紫外線照射方法は、積算光量測定工程および表面高さ検知工程を更に含む。
積算光量測定工程では、照射部２０からの紫外線の積算光量を測定する。
制御工程では、積算光量の測定結果に基づいて、照射部２０および搬送機構３０を制御する。
例えば、積算光量が光量閾値よりも大きいとき、制御工程では、以下の（１）および（２）の少なくとも一方の制御を行う。
（１）照射部２０を制御して紫外線強度を基準強度よりも低くする。
（２）搬送機構３０を制御して基板６の搬送速度を基準速度よりも速くする。
例えば、積算光量が光量閾値よりも小さいとき、制御工程では、以下の（３）および（４）の少なくとも一方の制御を行う。
（３）照射部２０を制御して紫外線強度を基準強度よりも高くする。
（４）搬送機構３０を制御して基板６の搬送速度を基準速度よりも遅くする。
例えば、積算光量測定工程は、少なくとも照射工程の間、常時行われる。
【００７９】
表面高さ検知工程では、基板表面高さを検知する。
制御工程では、基板表面高さの検知結果に基づいて、照射部２０および搬送機構３０を制御する。
例えば、基板表面高さが高さ閾値よりも大きいとき、制御工程では、前記積算光量が光量閾値よりも小さいときと同様の制御（３）、（４）を行う。
例えば、基板表面高さが高さ閾値よりも小さいとき、制御工程では、前記積算光量が光量閾値よりも大きいときと同様の制御（１）、（２）を行う。
【００８０】
以上のように、本実施形態の紫外線照射装置１８は、基板６に紫外線を照射可能な紫外線ＬＥＤ素子２２を含む照射部２０と、基板６と照射部２０とを相対的に移動可能な搬送機構３０と、基板６と照射部２０との相対位置を検知可能な相対位置検知部４０と、相対位置検知部４０の検知結果に基づいて、基板６の外周部に紫外線が照射されるように照射部２０を制御する制御部４５と、を含む。
【００８１】
この構成によれば、基板６の外周部に紫外線が照射されるため、基板６に塗布されたレジスト材料の外周部を紫外線で硬化させることができる。加えて、基板６と照射部２０とを相対的に移動させつつ基板６の外周部に紫外線を照射することができる。したがって、レジスト材料の基板６からの液だれを抑制し、かつ、タクトタイムを短縮化することができる。
加えて、基板６に塗布されたレジスト材料の外周部を紫外線で硬化させることによって、大型の基板６を用いたり、塗布後に基板６を移動させたりする場合であっても、レジスト材料の基板６からの液だれを抑制することができる。
加えて、基板６の外周部のみ追加で露光することにより、外周部のレジスト残渣の除去等を行う用途（通常の周辺露光の用途）にも使用することができる。加えて、大型基板を移動中に露光できることにより、タクトタイムの短縮を図ることができる。
ところで、基板６に紫外線を照射する場合、メタルハライドランプ又は水銀ランプを用いることが考えられる。しかしながら、メタルハライドランプ又は水銀ランプの場合、点灯後ランプが安定するまで数十分程度かかり、ランプの寿命も短いため、点灯および消灯を連続的に行うことができない可能性がある。
一方、メタルハライドランプ又は水銀ランプを用いて基板６の外周部への紫外線照射を行う場合、ランプの点灯状態を維持することが考えられる。しかしながら、ランプの点灯状態を維持することは、寿命を確保する上で好ましくない。
これに対し、この構成によれば、紫外線ＬＥＤ素子２２を含むことで、メタルハライドランプ又は水銀ランプを用いた場合と比較して、点灯後すぐに安定させ、かつ、寿命を長くすることができるため、点灯および消灯を瞬時に連続して行うことができる。加えて、相対位置検知部４０の検知結果に基づいて照射部２０を制御することで、基板６と照射部２０との相対位置を加味して紫外線ＬＥＤ素子２２の点灯および消灯を制御することができる。したがって、基板６の外周部への紫外線照射を省エネルギーで効率的に行うことができる。
加えて、第二光照射ユニット１６における紫外線照射装置４８および基板搬送機構４９は、第一光照射ユニット１２における紫外線照射装置１８および基板搬送機構１９と同一の構成を有することで、第一光照射ユニット１２と同じユニットで第二光照射ユニット１６の作業を行うことができ、同様の効果を奏する。
【００８２】
また、搬送機構３０が基板６を搬送可能であることで、照射部２０が定位置にある状態で基板６を搬送することができるため、照射部２０を移動させるための余分な駆動システムを必要とせず、基板６と照射部２０との相対移動をシンプルに行うことができる。
【００８３】
また、照射部２０が第一方向Ｖ１および第二方向Ｖ２のそれぞれに沿って並べられた複数の紫外線ＬＥＤ素子２２を含むことで、以下の効果を奏する。
この構成によれば、第一方向Ｖ１および第二方向Ｖ２のそれぞれに沿って並べられた複数の紫外線ＬＥＤ素子２２の点灯および消灯を選択的に制御することができる。したがって、複数の紫外線ＬＥＤ素子２２の点灯状態を維持する場合と比較して、基板６の外周部への紫外線照射を省エネルギーで効率的に行うことができる。例えば、基板６と照射部２０との相対移動を１回だけ行う（１回だけ照射部２０の下方に基板６を通過させる）ことで、基板６のすべての端部を１回で露光することができるため、効率的である。
【００８４】
また、照射部２０の照射領域２４が第二方向Ｖ２における移動部の長さよりも大きいことで、以下の効果を奏する。
ところで、照射部２０の照射領域２４が第二方向Ｖ２における移動部の長さよりも小さいと、基板６の外周部への紫外線照射を行う際に基板６と照射部２０との相対移動を複数回行う必要がある。これに対し、この構成によれば、照射部２０の照射領域２４が第二方向Ｖ２における搬送機構３０の長さＬ２よりも大きいことで、基板６の外周部への紫外線照射を行う際に基板６と照射部２０との相対移動を１回行えば足りる。したがって、基板６の外周部への紫外線照射を更に省エネルギーで効率的に行うことができる。
【００８５】
また、照射部２０が第一方向Ｖ１に隣接する第一照射ユニット２１ａおよび第二照射ユニット２１ｂを含むことで、第一照射ユニット２１ａおよび第二照射ユニット２１ｂごとに紫外線ＬＥＤ素子２２の点灯および消灯を制御することができる。したがって、照射部２０全体として紫外線ＬＥＤ素子２２の点灯および消灯を制御する場合と比較して、基板６の外周部への紫外線照射を省エネルギーで効率的に行うことができる。
【００８６】
また、照射部２０の照射領域２４が第二方向Ｖ２に延在するＩ字状をなしていることで、以下の効果を奏する。
ところで、照射部２０の照射領域２４が第二方向Ｖ２に延在する直線部２４ａのみ有する場合、第二方向Ｖ２における端部において、紫外線ＬＥＤ素子２２の設置領域を十分に確保することができない可能性がある。これに対し、この構成によれば、照射部２０の照射領域２４が第二方向Ｖ２に延在するＩ字状をなしていることで、第二方向Ｖ２における両端部において、第一方向Ｖ１に紫外線ＬＥＤ素子２２の設置領域を確保することができる。したがって、照射部２０の照射領域２４が第二方向Ｖ２に延在する直線部２４ａのみ有する場合と比較して、基板６の外周部への紫外線照射を省エネルギーで効率的に行うことができる。
【００８７】
また、搬送機構３０が第一方向Ｖ１に隙間３１ｈをあけて配列された複数のローラ３１を含み、相対位置検知部４０が隣り合う２つのローラ３１の間の隙間３１ｈに配置されていることで、第二方向Ｖ２において相対位置検知部４０がローラ３１の外方に配置される場合と比較して、紫外線照射装置１８の小型化を図ることができる。
【００８８】
また、相対位置検知部４０が第一方向Ｖ１に間隔をあけて配置された第一センサ４０ａおよび第二センサ４０ｂを含むことで、第一センサ４０ａおよび第二センサ４０ｂの検知結果に基づいて、第一方向Ｖ１における相対移動速度を求めることができる。
【００８９】
また、制御部４５は、基板先端部が照射部２０の照射領域２４に重なる場合、照射部２０を全体的に点灯させる基板先端照射制御と、基板先端照射制御の後、基板先端部が照射領域２４から外れ、基板両端部が照射領域２４に重なる場合、照射部２０のうち基板両端部から外れる部分を消灯させ、照射部２０のうち基板両端部と重なる部分を点灯させる基板両端照射制御と、基板両端照射制御の後、基板後端部が照射領域２４に重なる場合、照射部２０を全体的に点灯させる基板後端照射制御と、基板後端照射制御の後、基板後端部が照射領域２４から外れた場合、照射部２０を全体的に消灯させる消灯制御と、を行うことで、以下の効果を奏する。
この構成によれば、基板先端照射制御、基板両端照射制御、基板後端照射制御および消灯制御のそれぞれごとに、基板６と照射部２０との相対位置を加味して照射部２０の点灯および消灯を制御することができる。したがって、基板６の照射制御を一括して行う場合と比較して、基板６の外周部への紫外線照射を省エネルギーで効率的に行うことができる。
【００９０】
また、照射部２０からの紫外線の積算光量を測定可能な積算光量測定部４１を更に含み、制御部は、積算光量測定部４１の測定結果に基づいて、照射部２０および搬送機構３０を制御することで、以下の効果を奏する。
この構成によれば、照射部２０からの紫外線の積算光量を加味して紫外線ＬＥＤ素子２２の点灯および消灯を制御したり、基板６と照射部２０との相対移動を制御したりすることができる。したがって、基板６の外周部への紫外線照射を省エネルギーで効率的に行うことができる。
【００９１】
また、基板表面の高さを検知可能な表面高さ検知部４２を更に含み、制御部４５は、表面高さ検知部４２の検知結果に基づいて、照射部２０および搬送機構３０を制御することで、以下の効果を奏する。
この構成によれば、基板表面の高さを加味して紫外線ＬＥＤ素子２２の点灯および消灯を制御したり、基板６と照射部２０との相対移動を制御したりすることができる。したがって、基板６の外周部への紫外線照射を省エネルギーで効率的に行うことができる。
【００９２】
本実施形態の紫外線照射方法は、基板６に紫外線を照射可能な紫外線ＬＥＤ素子２２を含む照射部２０と、基板６と照射部２０とを相対的に移動可能な搬送機構３０と、基板６と照射部２０との相対位置を検知可能な総体移動検知部４０と、を用いた紫外線照射方法であって、基板６に紫外線を照射する照射工程と、基板６と照射部２０とを相対的に移動させる移動工程と、基板６と照射部２０との相対位置を検知する検知工程と、相対位置検知部４０の検知結果に基づいて、基板６の外周部に紫外線が照射されるように照射部２０を制御する制御工程と、を含む。
【００９３】
この方法によれば、基板６の外周部に紫外線が照射されるため、基板６に塗布されたレジスト材料の外周部を紫外線で硬化させることができる。加えて、基板６と照射部２０とを相対的に移動させつつ基板６の外周部に紫外線を照射することができる。したがって、レジスト材料の基板６からの液だれを抑制し、かつ、タクトタイムを短縮化することができる。
加えて、基板６に塗布されたレジスト材料の外周部を紫外線で硬化させることによって、大型の基板６を用いたり、塗布後に基板６を移動させたりする場合であっても、レジスト材料の基板６からの液だれを抑制することができる。
加えて、基板６の外周部のみ追加で露光することにより、外周部のレジスト残渣の除去等を行う用途（通常の周辺露光の用途）にも使用することができる。加えて、大型基板を移動中に露光できることにより、タクトタイムの短縮を図ることができる。
加えて、紫外線ＬＥＤ素子２２を含むことで、メタルハライドランプ又は水銀ランプを用いた場合と比較して、点灯後すぐに安定させ、かつ、寿命を長くすることができるため、点灯および消灯を瞬時に連続して行うことができる。加えて、相対位置検知部４０の検知結果に基づいて照射部２０を制御することで、基板６と照射部２０との相対位置を加味して紫外線ＬＥＤ素子２２の点灯および消灯を制御することができる。したがって、基板６の外周部への紫外線照射を省エネルギーで効率的に行うことができる。
加えて、第二光照射ユニット１６における紫外線照射装置４８および基板搬送機構４９は、第一光照射ユニット１２における紫外線照射装置１８および基板搬送機構１９と同一の構成を有することで、第一光照射ユニット１２と同じユニットで第二光照射ユニット１６の作業を行うことができ、同様の効果を奏する。
【００９４】
また、移動工程では、基板６を搬送することで、照射部２０が定位置にある状態で基板６を搬送することができるため、照射部２０を移動させるための余分な工程を必要とせず、基板６と照射部２０との相対移動をシンプルに行うことができる。
【００９５】
また、制御工程は、基板先端部が照射部２０の照射領域２４に重なる場合、照射部２０を全体的に点灯させる基板先端照射制御工程と、基板先端照射制御工程の後、基板先端部が照射領域２４から外れ、基板両端部が照射領域２４に重なる場合、照射部２０のうち基板両端部から外れる部分を消灯させ、照射部２０のうち基板両端部と重なる部分を点灯させる基板両端照射制御工程と、基板両端照射制御工程の後、基板後端部が照射領域２４に重なる場合、照射部２０を全体的に点灯させる基板後端照射制御工程と、基板後端照射制御工程の後、基板後端部が照射領域２４から外れた場合、照射部２０を全体的に消灯させる消灯制御工程と、を含む。
この方法によれば、基板先端照射制御工程、基板両端照射制御工程、基板後端照射制御工程および消灯制御工程のそれぞれごとに、基板６と照射部２０との相対位置を加味して照射部２０の点灯および消灯を制御することができる。したがって、基板６の照射制御を一括して行う場合と比較して、基板６の外周部への紫外線照射を省エネルギーで効率的に行うことができる。
【００９６】
また、照射部２０からの紫外線の積算光量を測定する積算光量測定工程を更に含み、制御工程では、積算光量の測定結果に基づいて、照射部２０および搬送機構３０を制御することで、以下の効果を奏する。
この方法によれば、照射部２０からの紫外線の積算光量を加味して紫外線ＬＥＤ素子２２の点灯および消灯を制御したり、基板６と照射部２０との相対移動を制御したりすることができる。したがって、基板６の外周部への紫外線照射を省エネルギーで効率的に行うことができる。
【００９７】
また、基板６の表面の高さを検知する表面高さ検知工程を更に含み、制御工程では、基板６の表面の高さの検知結果に基づいて、照射部２０および搬送機構３０を制御することで、以下の効果を奏する。
この方法によれば、基板６の表面の高さを加味して紫外線ＬＥＤ素子２２の点灯および消灯を制御したり、基板６と照射部２０との相対移動を制御したりすることができる。したがって、基板６の外周部への紫外線照射を省エネルギーで効率的に行うことができる。
【００９８】
なお、上述した例において示した各構成部材の諸形状や組み合わせ等は一例であって、設計要求等に基づき種々変更可能である。
例えば、上記実施形態においては、基板６を第一方向Ｖ１に搬送可能な搬送機構３０を備えた例を挙げて説明したが、これに限らない。例えば、照射部２０を第一方向Ｖ１に移動可能な移動機構を備えていてもよい。例えば、基板６が定位置にある状態で、照射部２０を第一方向Ｖ１に移動させてもよい。すなわち、基板６と照射部２０とを第一方向Ｖ１に相対的に移動可能な移動部を備えていればよい。
【００９９】
上記実施形態においては、照射部２０が第一方向Ｖ１および第二方向Ｖ２に沿って並べられた複数の紫外線ＬＥＤ素子２２を備えた例を挙げて説明したが、これに限らない。例えば、照射部２０は、第一方向Ｖ１に交差する第三方向に沿って並べられるとともに、第三方向に交差する第四方向に沿って並べられた複数の紫外線ＬＥＤ素子２２を備えていてもよい。
【０１００】
上記実施形態においては、照射部２０が第一方向Ｖ１に隣接する第一照射ユニット２１ａおよび第二照射ユニット２１ｂを備えた例を挙げて説明したが、これに限らない。例えば、照射ユニット２１は、第一方向Ｖ１に隣接する３台以上の複数の照射ユニット２１を備えていてもよい。または、照射ユニット２１は、第一方向Ｖ１に１台のみ設けられていてもよい。
【０１０１】
上記実施形態においては、照射部２０の照射領域２４が第二方向Ｖ２に延在するＩ字状をなしている例を挙げて説明したが、これに限らない。例えば、照射部２０の照射領域２４は、第二方向Ｖ２に延在する直線部２４ａのみを有していてもよい。
【０１０２】
上記実施形態においては、搬送機構３０がローラコンベアである例を挙げて説明したが、これに限らない。例えば、搬送機構３０は、ベルトコンベアであってもよいし、ロボットアームであってもよい。
【０１０３】
上記実施形態においては、上面視で、相対位置検知部４０が隣り合う２つのローラ３１の間の隙間３１ｈに配置されている例を挙げて説明したが、これに限らない。例えば、上面視で、相対位置検知部４０は、ローラ３１と重なる位置に配置されていてもよい。例えば、相対位置検知部４０は、鉛直方向に対して傾斜する検知面を有していてもよい。相対位置検知部４０は、隣り合う２つのローラ３１の下方から隙間３１ｈを介して基板６の位置を検知可能に配置されていればよい。
【０１０４】
上記実施形態においては、相対位置検知部４０が第一方向Ｖ１に間隔をあけて配置された第一センサ４０ａおよび第二センサ４０ｂを備えた例を挙げて説明したが、これに限らない。例えば、相対位置検知部４０は、第一方向Ｖ１に間隔をあけて配置された３つ以上のセンサを備えていてもよい。または、相対位置検知部４０は、センサを１つのみ備えていてもよい。
【０１０５】
上記実施形態においては、紫外線照射装置１８が積算光量測定部４１および表面高さ検知部４２を備えた例を挙げて説明したが、これに限らない。例えば、紫外線照射装置１８は、積算光量測定部４１および表面高さ検知部４２の少なくとも一方を備えていなくてもよい。
【０１０６】
上記実施形態においては、基板６を第一方向Ｖ１に移動可能な搬送機構３０を備えた例を挙げて説明したが、これに限らない。例えば、基板６および照射部２０の少なくとも一方を鉛直方向に移動可能な昇降機構を備えていてもよい。例えば、昇降機構は、基板６を昇降可能な昇降ピンを備えていてもよい。例えば、昇降機構は、一対の門柱部２５ａに対して連結梁部２５ｂを上下移動可能なスライダを備えていてもよい。
【０１０７】
上記実施形態においては、基板先端照射制御工程では、基板先端部が照射領域２４に重なる場合、照射部２０を全体的に点灯させる例を挙げて説明したが、これに限らない。例えば、基板先端照射制御工程では、照射部２０のうち第一照射ユニット２１ａまたは第二照射ユニット２１ｂのいずれか一方を点灯させてもよい。
【０１０８】
上記実施形態においては、基板後端照射制御工程では、基板後端部が照射領域２４に重なる場合、照射部２０を全体的に点灯させる例を挙げて説明したが、これに限らない。例えば、基板後端照射制御工程では、照射部２０のうち第一照射ユニット２１ａまたは第二照射ユニット２１ｂのいずれか一方を点灯させてもよい。
【０１０９】
上記実施形態においては、紫外線ＬＥＤ素子２２の波長帯を３６５ｎｍ程度に設定する例を挙げて説明したが、これに限らない。例えば、キュア効果（紫外線照射による硬化）を向上させるために使用する材料に合わせて紫外線ＬＥＤ素子２２の波長帯を設定してもよい。例えば、紫外線ＬＥＤ素子２２の波長帯を、３７５ｎｍ程度または４０５ｎｍ程度に設定してもよいし、１８５ｎｍから２５４ｎｍの範囲で設定してもよい。
【０１１０】
上記実施形態においては、基板６としてＧ８サイズを有する矩形状のガラス基板を用いた例を挙げて説明したが、これに限らない。例えば、基板６としてＧ８サイズよりも小さいガラス基板を用いていてもよい。例えば、基板６として円形などの矩形状以外の形状の基板を用いてもよい。例えば、制御工程においてより細かな制御を行うことで、半導体ウエハの外周部露光にも本発明を適用することができる。
【０１１１】
上記実施形態においては、基板６の外周部に紫外線を照射する例を挙げて説明したが、これに限らない。例えば、基板６の全面に紫外線を照射してもよい。例えば、周辺露光のみならず、全面露光にも本発明を適用することができる。
【０１１２】
なお、上記において実施形態又はその変形例として記載した各構成要素は、本発明の趣旨を逸脱しない範囲で適宜組み合わせることができるし、また、組み合わされた複数の構成要素のうち一部の構成要素を適宜用いないようにすることもできる。
【符号の説明】
【０１１３】
６…基板  １８，４８…紫外線照射装置  ２０…照射部  ２１…照射ユニット  ２１ａ…第一照射ユニット  ２１ｂ…第二照射ユニット  ２２…紫外線ＬＥＤ素子  ２４…照射領域  ３０…搬送機構（移動部）  ３１…ローラ  ３１ｈ…隙間  ４０…相対位置検知部（検知部）  ４０ａ…第一センサ  ４０ｂ…第二センサ  ４１…積算光量測定部  ４２…表面高さ検知部  ４５…制御部  Ｌ２…第二方向における搬送機構の長さ（相対移動方向に直交する方向における移動部の長さ）  Ｖ１…第一方向（相対移動方向）  Ｖ２…第二方向（相対移動方向に直交する方向）
【図１】
2019076817.tif 000003
【図２】
2019076817.tif 000004
【図３】
2019076817.tif 000005
【図４】
2019076817.tif 000006
【図５】
2019076817.tif 000007
【図６】
2019076817.tif 000008
【図７】
2019076817.tif 000009